(57)【要約】【課題】揮散面積の増大を図ることができる揮散体を提供する。【解決手段】揮散体本体７１を薬剤３を吸い上げる吸液部７５と薬剤３を揮散する揮散部７２で構成する。揮散部７２を吸液部７５より幅広に形成し、揮散部７２の外面９１に上下に延在する複数の切込み９２を幅方向に並設する。各切込み９２によって揮散部７２を複数のブロック９３に分割し、各ブロック９３を揮散部７２の内面９４側で連設する。揮散部７２を内面９４側へ湾曲して丸めた際に、各切込み９２がＶ字状に開くことによって、隣接するブロック９３のブロック側面９５が露出するように構成する。【選択図】図４
2008136512.tif 000002
【特許請求の範囲】
【請求項１】
容器体内の薬剤を吸い上げて揮散する揮散体本体からなる揮散体において、
前記揮散体本体の一面に、縦方向に延在する切込みを複数並設して当該揮散体本体を他面側で連設された複数のブロックに分割するとともに、当該揮散体本体を前記他面側へ湾曲した状態で隣接するブロックの側面が露出するように構成したことを特徴とする揮散体。
【請求項２】
前記揮散体本体を、前記薬剤を吸い上げる幅狭の吸液部と、該吸液部で吸い上げた薬剤を揮散する幅広の揮散部とで構成し、
該揮散部に、その幅方向に並設された前記各切込みを設定するとともに、各切込みで形成されたいずれかのブロックに前記吸液部を連設したことを特徴とする請求項１記載の揮散体。
【請求項３】
前記揮散体本体を、前記薬剤を吸い上げる幅狭の吸液部と、該吸液部で吸い上げた薬剤を揮散する幅広の揮散部とで構成し、
該揮散部に、その幅方向に並設された前記各切込みを設けるとともに、各切込みを、前記吸液部の側面の延長線からずれた位置に設定したことを特徴とする請求項１記載の揮散体。
【発明の詳細な説明】
【技術分野】
【０００１】
本発明は、芳香剤等の薬剤を吸い上げて揮散する揮散体に関する。
【背景技術】
【０００２】
従来、芳香剤等の揮散装置は、容器体に収容された薬剤を吸い上げて揮散する揮散体を備えている（例えば、特許文献１）。
【０００３】
この揮散体は、吸水性素材によって構成されており、薬剤を吸い上げる吸液部の上端に揮散部が設けられている。この揮散部は、周回向きに曲げられており、予め所定の形状に形成されている。
【特許文献１】実公平５−３２１２５号公報
【発明の開示】
【発明が解決しようとする課題】
【０００４】
しかしながら、このような従来の揮散体にあっては、揮散面積を増大する為には、前記揮散部を長くするとともに、所定位置に納まるように、その形状を変える工夫が必要であった。
【０００５】
このため、当該揮散体を、例えば容器体の口部に挿入して使用する等、限られたスペース内に配置する使用形態では、揮散面積の増大を期待することができなかった。
【０００６】
本発明は、このような従来の課題に鑑みてなされたものであり、揮散面積の増大を図ることができる揮散体を提供することを目的とするものである。
【課題を解決するための手段】
【０００７】
前記課題を解決するために本発明の請求項１の揮散体にあっては、容器体内の薬剤を吸い上げて揮散する揮散体本体からなる揮散体において、前記揮散体本体の一面に、縦方向に延在する切込みを複数並設して当該揮散体本体を他面側で連設された複数のブロックに分割するとともに、当該揮散体本体を前記他面側へ湾曲した状態で隣接するブロックの側面が露出するように構成した。
【０００８】
すなわち、前記揮散体本体の一面には、縦方向に延在する切込みが複数並設されており、当該揮散体本体は、他面側で連設された複数のブロックに分割されている。
【０００９】
このため、前記揮散体本体は、前記他面側への湾曲が自在となり、その利用形態に応じた形状への変更が可能となる。
【００１０】
そして、前記揮散体本体を前記他面側へ湾曲した際には、前記切込みが開くため、隣接するブロックの側面が露出する。
【００１１】
このため、前記揮散体は、前記各ブロックの側面分、外部と接する表面積が増加する。
【００１２】
また、請求項２の揮散体においては、前記揮散体本体を、前記薬剤を吸い上げる幅狭の吸液部と、該吸液部で吸い上げた薬剤を揮散する幅広の揮散部とで構成し、該揮散部に、その幅方向に並設された前記各切込みを設定するとともに、各切込みで形成されたいずれかのブロックに前記吸液部を連設した。
【００１３】
すなわち、前記揮散体本体は、前記薬剤を吸い上げる幅狭の吸液部と、該吸液部で吸い上げた薬剤を揮散する幅広の揮散部とで構成されており、前記薬剤を吸い上げる部分から吸い上げた薬剤を揮散する部分までの全域が同じ幅寸法で形成された場合と比較して、部材コストが削減される。
【００１４】
また、前記揮散部に、その幅方向に並設された前記各切込みを設定するとともに、各切込みで形成されたいずれかのブロックに前記吸液部を連設することで、前記揮散部のみが利用形態に応じて変形される。
【００１５】
さらに、請求項３の揮散体では、前記揮散体本体を、前記薬剤を吸い上げる幅狭の吸液部と、該吸液部で吸い上げた薬剤を揮散する幅広の揮散部とで構成し、該揮散部に、その幅方向に並設された前記各切込みを設けるとともに、各切込みを、前記吸液部の側面の延長線からずれた位置に設定した。
【００１６】
すなわち、前記切込みは、前記吸液部の側面の延長線からずれた位置に設けられており、前記揮散部より延出した前記吸液部に外力が加わった場合、その力の前記切込みへの直接入力が防止される。
【発明の効果】
【００１７】
以上説明したように本発明の請求項１の揮散体にあっては、前記揮散体本体の前記他面側への湾曲が自在のため、その利用形態に応じた形状に変形することができる。このため、その形状が予め定められた従来と比較して、使用形態を広げることができ、利便性が向上する。
【００１８】
そして、前記揮散体本体を前記他面側へ湾曲した際には、形成された切込みを開くことによって、隣接するブロックの側面を露出することができる。これにより、前記揮散体の表面積を増大することができる。
【００１９】
したがって、前記揮散体本体を、例えば容器体の口部に挿入して使用する等、限られたスペース内で使用する場合であっても、前記揮散体本体を前記他面側への湾曲して丸めるなどすることによって、口部に合わせて変形しつつ、揮散面積の増大を図り揮散効率を高めることができる。
【００２０】
また、請求項２の揮散体においては、前記揮散体本体を、前記薬剤を吸い上げる幅狭の吸液部と、該吸液部で吸い上げた薬剤を揮散する幅広の揮散部とで構成したため、前記薬剤を吸い上げる部分から吸い上げた薬剤を揮散する部分までの全域を同じ幅寸法で形成する場合と比較して、部材コストを削減することができ、低コスト化を図ることができる。
【００２１】
そして、前記揮散部に、その幅方向に並設された複数の切込みを設定するとともに、各切込みで形成されたいずれかのブロックに前記吸液部を連設することで、幅広の前記揮散部のみを利用形態に応じて変形することができる。
【００２２】
これに伴って、薬剤を揮散する揮散部のみの表面積を大きくすることができる。
【００２３】
さらに、請求項３の揮散体では、前記切込みを前記吸液部の側面の延長線からずれた位置に設けることによって、前記揮散部より延出した前記吸液部に外力が加わった場合であっても、その力の前記切込みへの直接入力を防止することができる。
【００２４】
これにより、前記吸液部に外力が生じた際に、前記切込みを境とした当該吸液部の不用意な切り離しを防止することができる。
【発明を実施するための最良の形態】
【００２５】
以下、本発明の一実施の形態を図に従って説明する。図１は、本実施の形態にかかる揮散体１を備えた揮散装置２を示す図であり、該揮散装置２は、消臭剤、芳香剤、防虫剤、殺虫剤等の液状の薬剤３を噴出する機能と、揮散する機能とを備えている。
【００２６】
この揮散装置２は、容器体１１と、該容器体１１の上部に取り付けられたスプレー構成部１２とによって構成されている。
【００２７】
前記容器体１１は、直方体形状に形成されており、当該容器体１１の内部には前記薬剤３が収容されている。前記容器体１１の周面２１上部には、係止溝２２が全周に渡って凹設されており、天面２３の中央部には、上方へ突出した円筒部２４が一体形成されている。該円筒部２４には、前記容器体１１の内部と外部とを連通する開口部２５が上方へ向けて開口しており、当該円筒部２４の外周部には、販売時に閉鎖キャップを螺着する為の雄ねじ２６が形成されている。
【００２８】
前記円筒部２４には、内キャップ３１が内嵌された状態で装着されており、該内キャップ３１と前記容器体１１の前記円筒部２４とによって口部３２が形成されている。
【００２９】
前記内キャップ３１は、図２にも示すように、円筒状の筒部４１と、該筒部４１の上縁より側方へ延出した鍔部４２とによって構成されており、前記筒部４１を前記円筒部２４に内嵌した状態で、前記鍔部４２が前記円筒部２４の上端に当接して、その挿入量を規制できるように構成されている。
【００３０】
前記筒部４１は、前記鍔部４２側の基部５１と、該基部５１より縮径した先端側の縮径部５２とからなり、前記基部５１の外面５３には、一対の外凸条５４，５４が平行して周方向に延設されている。また、前記基部５１の内周面５５には、一対の内凸条５６，５６が平行して周方向に延設されている。
【００３１】
前記縮径部５２の内周面５５には、縦長の押圧部６１が内側へ向けて突設されている。この押圧部６１は、上方から下方へ向かうに従って、その突出量が大きくなるように構成されており、当該押圧部６１は、その下端面６２が内周面５５に対して起立するように構成されている。そして、前記縮径部５２の下縁部には、当該内キャップ３１の中心部へ向けて延出したストッパ６３が複数箇所に一体形成されている（一カ所のみ図示）。
【００３２】
この内キャップ３１が前記円筒部２４に装着されてなる前記口部３２には、図１に示したように、前記薬剤３を吸い上げて揮散する本願発明の揮散体１が挿入されている。
【００３３】
この揮散体１の揮散体本体７１は、前記口部３２に挿入したセット状態において、該口部３２の内側に位置する揮散部７２と、該揮散部７２の下縁７３より前記容器体１１の底面７４へ向けて延出した吸液部７５とで構成されており、前記容器体１１内の前記薬剤３を前記吸液部７５で吸い上げて前記揮散部７２から揮散できるように構成されている。
【００３４】
前記揮散部７２は、前記口部３２の前記内周面５５に沿って配置されており、該内周面５５に沿った円筒状に形成されている。これにより、当該揮散部７２の内側には、挿通穴８１が形成されている。
【００３５】
前記揮散体本体７１は、フェルトや不織布や濾紙等の吸水性素材で構成されており、厚み方向へ弾性変形する弾力性を有している。
【００３６】
図３は、前記揮散体本体７１を展開した状態を示す図であり、当該揮散体本体７１は、板状に形成された前記吸水性素材が鉤状に切断されて形成されている。この展開状態において、前記揮散部７２は、前記吸液部７５より幅広に形成されており、当該揮散部７２の一面である外面９１には、上下に延在する複数の切込み９２，・・・が等間隔をおいて幅方向に並設されている。
【００３７】
前記揮散部７２は、前記各切込み９２，・・・によって複数のブロック９３，・・・に分割されており、各ブロック９３，・・・は、当該揮散部７２の他面である内面９４側（図４参照）で連設されている。
【００３８】
これにより、図４に示すように、横方向へ幅広に形成された前記揮散部７２を前記内面９４側へ湾曲して丸めることによって、円筒状に形成できるように構成されており、この状態では、前記各切込み９２，・・・がＶ字状に開くことによって、隣接するブロック９３，９３のブロック側面９５，９５が露出するように構成されている。
【００３９】
また、前記揮散部７２を丸めた状態において、図１に示したように、当該揮散部７２を前記口部３２の内周面５５に沿って配設できるように構成されている。
【００４０】
そして、前記揮散部７２を前記口部３２にセットした状態では、前記内キャップ３１に設けられた前記押圧部６１が当該揮散部７２の外面９１に食い込むように構成されており、該揮散部７２に食い込んだ前記押圧部６１の前記下端面６２によって当該揮散部７２の上動を防止できるように構成されている。
【００４１】
このとき、前記揮散部７２の前記下縁７３が前記内キャップ３１の前記ストッパ６３に当接することで、当該揮散部７２の下方への移動が規制されるように構成されており、この規制状態において、前記揮散部７２の上端部が前記口部３２より外側上方へ突出するように、当該揮散部７２の高さ寸法が設定されている。
【００４２】
そして、前記切込み９２で形成された図３中左端のブロック９３には、その下縁７３より前記吸液部７５が下方へ向けて延出しており、当該ブロック９３に前記吸液部７５が連設されている。該吸液部７５の幅寸法１０１は、前記ブロック９３の幅寸法１０２より小さく設定されており、当該吸液部７５は、前記ブロック９３の左寄りに配置されている。
【００４３】
これにより、前記揮散部７２に形成された前記切込み９２は、前記吸液部７５の吸液部側面１０５の延長線１０６からずれた位置に設けられており、当該ブロック９３の下縁７３には、前記ストッパ６３に支持される支持部１０７が残存している。この支持部１０７によって、前記吸液部７５の下方へのズレ落ちを防止するとともに、前記吸液部側面１０５，１０５の延長線１０６上に前記切込み９２を配置しないように構成することで、該切込み９２を境とした前記吸液部７５の不用意な切断を防止できるように構成されている。
【００４４】
そして、前記口部３２より突出した前記揮散部７２の上端には、図１に示したように、補助用の揮散板１１１が載置されており、該揮散板１１１も前記揮散体本体７１と同様に、フェルトや不織布や濾紙等の吸水性素材で構成されている。
【００４５】
これにより、前記容器体１１の前記薬剤３を、前記吸液部７５で前記揮散部７２まで吸い上げて前記口部３２より突出した当該揮散部７２の部位から揮散するとともに、該揮散部７２の薬剤３を前記揮散板１１１に吸い上げることによって、当該揮散板１１１からも揮散できるように構成されている。
【００４６】
前記スプレー構成部１２は、図１に示したように、直方体形状に形成されており、該スプレー構成部１２は、前記容器体１１の上部に嵌着される嵌合部１２１を備えている。
【００４７】
該嵌合部１２１は、下方へ開口した矩形容器状に形成されており、前記容器体１１の上部に外嵌する下縁部には、前記容器体１１の周面２１に形成された前記係止溝２２に係止される係止部１２２が各面に突設されている。この嵌合部１２１の側面には、複数の揮散口１２３，・・・が開設されており、前記揮散体本体７１及び前記揮散板１１１から揮散した前記薬剤３を外部へ放出できるように構成されている。
【００４８】
前記嵌合部１２１の上部には、縮径した小径部１３１が形成されており、該小径部１３１の天面１３２には、円筒状のポンプ保持部１３３が一体形成されている。該ポンプ保持部１３３の内側には、前記容器体１１内の薬剤３を吸い上げるポンプ１３４が固定されており、該ポンプ１３４の下端部は、前記天面１３２より下方へ向けて延出している。
【００４９】
このポンプ１３４の下端部には、下方へ向かうに従って縮径したテーパ部１４１が形成されており、該テーパ部１４１の下端からは、前記薬剤３を吸い上げる為のパイプ１４２が前記容器体１１の前記底面７４へ向けて延出している。
【００５０】
前記ポンプ保持部１３３には、中間部材１５１を介してノズル１５２が上下動自在に支持されており、該ノズル１５２の基端部は、前記ポンプ１３４に接続されている。このノズル１５２は、矩形容器状の操作キャップ１５３の天面１５４に固定されており、該操作キャップ１５３の下端部は、前記嵌合部１２１の前記小径部１３１に上下動自在に外嵌している。
【００５１】
これにより、前記操作キャップ１５３を押し下げた際には、該操作キャップ１５３と共に前記ノズル１５２が下動して前記ポンプ１３４を作動させ、前記パイプ１４２より吸い上げた前記薬剤３を前記ノズル１５２先端の噴霧口１６１から噴霧できるように構成されている。
【００５２】
このスプレー構成部１２より下方へ延出した前記ポンプ１３４の下端部は、前記口部３２に内嵌した前記揮散体本体７１の前記揮散部７２内側の前記挿通穴８１から前記容器体１１内部へ挿入されており、当該ポンプ１３４の外周面１７１と前記口部３２の前記内周面５５との間には、前記揮散体本体７１の前記揮散部７２が挟持された状態で配設されている。
【００５３】
この状態において、前記揮散部７２が厚み方向に弾性変形することによって、前記揮散部７２の内面９４が前記ポンプ１３４の外周面１７１に密着するとともに、前記揮散部７２の外面９１が前記口部３２の内周面５５に密着するように前記揮散部７２の厚み寸法が設定されており、前記ポンプ１３４の外周面１７１と前記口部３２の内周面５５との間に形成された間隙は、前記揮散体本体７１の前記揮散部７２で閉塞されるように構成されている。
【００５４】
以上の構成にかかる本実施の形態において、前記揮散体本体７１の外面９１には、縦方向に延在する切込み９２，・・・が複数並設されており、当該揮散体本体７１は、他面側で連設された複数のブロック９３，・・・に分割されている。このため、前記揮散体本体７１は、前記内面９４側への湾曲が自在となり、その利用形態に応じた形状に変形することができる。
【００５５】
したがって、形状が予め定められた従来と比較して、使用形態を広げることができ、利便性が向上するとともに、本実施の形態の口部３２への挿入も容易に行うことができる。
【００５６】
そして、前記揮散体本体７１を前記内面９４側へ湾曲した際には、前記各切込み９２，・・・がＶ字状に開き、隣接するブロック９３，９３のブロック側面９５，９５が露出する。このため、前記揮散体１は、前記各ブロック側面９５，・・・分、外部と接する表面積を増加することができる。
【００５７】
これにより、前記揮散体本体７１を、本実施の形態のように前記容器体１１の前記口部３２に挿入して使用する等、限られたスペース内で使用する場合であっても、前記揮散体本体７１を前記内面９４側への湾曲して丸めることによって、前記口部３２に合わせて変形しつつ、揮散面積の増大を図り揮散効率を高めることができる。
【００５８】
また、前記揮散体本体７１を、前記薬剤３を吸い上げる幅狭の吸液部７５と、該吸液部７５で吸い上げた薬剤３を揮散する幅広の揮散部７２とで構成したため、前記薬剤３を吸い上げる部分から吸い上げた薬剤３を揮散する部分までの全域を同じ幅寸法で形成する場合と比較して、部材コストを削減することができ、低コスト化を図ることができる。
【００５９】
そして、前記揮散部７２に、その幅方向に並設された複数の切込み９２，・・・を設定するとともに、各切込み９２，・・・で形成されたブロック９３に前記吸液部７５を連設することで、幅広の前記揮散部７２のみを利用形態に応じて変形することができる。
【００６０】
これに伴って、前記薬剤３を揮散する前記揮散部７２のみの表面積を大きくすることができる。
【００６１】
さらに、前記切込み９２を前記吸液部７５の吸液部側面１０５の延長線１０６からずれた位置に設けることによって、例えば前記揮散部７２より延出した前記吸液部７５を前記口部３２に挿入する際に該吸液部７５が干渉し当該吸液部７５に外力が加わった場合であっても、その力の前記切込み９２への直接入力を防止することができる。
【００６２】
これにより、前記吸液部７５に外力が生じた際に、前記切込み９２を境とした当該吸液部７５の不用意な切り離しを防止することができる。
【００６３】
なお、本実施の形態では、図３に示したように、前記吸液部７５の上端部より図３中右方に揮散部７２が延出した揮散体１を使用した場合を例に挙げて説明したが、この形状に限定されるものではない。
【００６４】
すなわち、図５に示すように、前記吸液部７５の上端部より図５中左右方向に揮散部７２が延出した揮散体１を使用しても、前述と同様の効果を得ることができる。
【図面の簡単な説明】
【００６５】
【図１】本発明の一実施の形態を示す一部断面図である。
【図２】同実施の形態の内キャップを示す一部断面図である。
【図３】同実施の形態の揮散体を展開した状態を示す側面図である。
【図４】同実施の形態の揮散体を示す斜視図である。
【図５】他の実施の形態の揮散体を展開した状態を示す側面図である。
【符号の説明】
【００６６】
１    揮散体
２    揮散装置
３    薬剤
１１    容器体
３２    口部
７１    揮散体本体
７２    揮散部
７５    吸液部
９１    外面
９２    切込み
９４    内面
９５    ブロック側面
１０５    吸液部側面
１０６    延長線
【図１】
2008136512.tif 000003
【図２】
2008136512.tif 000004
【図３】
2008136512.tif 000005
【図４】
2008136512.tif 000006
【図５】
2008136512.tif 000007